(57)【要約】  本発明は、人物の形態的データをコンピュータ・ネットワーク上で取得し管理するための方法に関し、該データは、個々に設計寸法された既製の衣服を、複数の製造者のうちの少なくとも１つにより製造および／または供給するのに使用される。本発明による方法は、予備的段階にて、第１コンピュータシステムに標準データのサイズを保存することによって人体の外形に関する第１データベース（３）を形成し、後続の段階にて、該人物の形態を表す現在のデータを、コンピュータ化された取得システムによって取得し（６、１０）、各人物の現在のデータ（６、９）に最も近い個人データを標準データから選択する（５、８）ことに存する。該方法は、個人データ（１２）が第２コンピュータシステム上で第２データベース（４、７）から選択され、各製造者に対応するサイズ品揃えにより標準データが体系化されることを特徴としている。
2008504593.tif 000002
【特許請求の範囲】
【請求項１】
人物の形態的データをコンピュータ・ネットワーク上で取得し管理するための方法であって、これらの形態的データは、或る数の製造者の少なくとも１つにより製作された、個々に設計寸法された衣類の、既製服としての製造および／または支給が意図されており、前記方法は、予備的ステップの過程において、第１コンピュータシステム（５６）に１組の標準データを保存する、人体の外形の第１データベース（３）を確立するステップと、後続のステップにおいて、これらの人物の形態を表す現在のデータを、コンピュータ化された取得システム（２３、４５、６６）によって取得する（６、１０）ステップと、これらの標準データから、これらの人物の各々の現在のデータ（６、９）に最も近い個人データを選択する（５、８）ステップから成る種類の方法であって、第２コンピュータシステム（５９）において、製造者の各々によるサイズ品揃えにおいて標準データが体系化されている第２データベース（４、７）から個人データ（１２）が選択されることを特徴とする方法。
【請求項２】
前記第２データベース（４、７）内の前記標準データの分類が
ａ）位置を含む、所定のカテゴリのパラメータと、
ｂ）性別、年齢層、身長、股下高、および体重を含む全般的な標準パラメータ（４）と、
ｃ）標準データに対応する標準的な仮想の三次元マネキン人形を表現する標準的な三次元パラメータと、
ｄ）マネキン人形の所定のカテゴリの標準的な見え方に対応する標準的な二次元シルエットを表現する標準的な二次元パラメータ（７）と
をさらに含むことを特徴とする、請求項１記載の、人物の形態的データをコンピュータ・ネットワーク上で取得し管理するための方法。
【請求項３】
前記標準的な見え方のカテゴリが、正面図、側面図、および上面図を含むことを特徴とする、請求項２記載の、人物の形態的データをコンピュータ・ネットワーク上で取得し管理するための方法。
【請求項４】
現在のデータを取得するための前記コンピュータ化されたシステム（２３、４５、６６）が、走査ブース（２３）から成ることを特徴とする、先行請求項１〜３のいずれか１項記載の、人物の形態的データをコンピュータ・ネットワーク上で取得し管理するための方法。
【請求項５】
前記現在のデータが、現在の二次元シルエットを表現する現在の二次元パラメータ（９）を含むとともに、走査ブース（２３）から得られる走査データ（１０）から抽出されることを特徴とする、請求項４記載の、人物の形態的データをコンピュータ・ネットワーク上で取得し管理するための方法。
【請求項６】
前記後続のステップが、前記人物に関連する、具体的には彼らの性別、年齢層、民族性、身長、股下高、および体重を含む、現在の全般的なパラメータ（６）を、前記取得システム（２３、４５、６６）によって取得するステップをさらに含むことを特徴とする、請求項１〜５のいずれか１項記載の、人物の形態的データをコンピュータ・ネットワーク上で取得し管理するための方法。
【請求項７】
身長、股下高、および体重が自動的に計測されることを特徴とする、請求項６記載の、人物の形態的データをコンピュータ・ネットワーク上で取得し管理するための方法。
【請求項８】
性別、年齢層、および民族性が人物の各々自身によりエントリされることを特徴とする、請求項６記載の、人物の形態的データをコンピュータ・ネットワーク上で取得し管理するための方法。
【請求項９】
目標標準データが前記第２コンピュータシステム（５９）上で標準データから予め選択され（５）、その全般的な標準パラメータ（４）が、前記現在の全般的なパラメータ（６）に対応することを特徴とする、請求項２〜５のいずれか１項に依拠する、請求項６、７、または８のいずれか１項記載の、人物の形態的データをコンピュータ・ネットワーク上で取得し管理するための方法。
【請求項１０】
前記個人データ（１２）が前記目標標準データであり、その標準的な二次元パラメータ（７）が前記現在の二次元パラメータ（９）の最適近似であることを特徴とする、請求項９記載の、人物の形態的データをコンピュータ・ネットワーク上で取得し管理するための方法。
【請求項１１】
前記最適近似が、前記製造者により決められる標準的な二次元パラメータ（７）の各々に関する許容値の関数として評価されることを特徴とする、請求項１０記載の、人物の形態的データをコンピュータ・ネットワーク上で取得し管理するための方法。
【請求項１２】
前記個人データ（１２）に対応する前記標準的な仮想のマネキン人形が、第３コンピュータシステム（６６）の画面（４５）上に表示されることを特徴とする、先行請求項１０または１１のいずれか１項記載の、人物の形態的データをコンピュータ・ネットワーク上で取得し管理するための方法。
【請求項１３】
前記標準的な仮想のマネキン人形が、いかなる角度から見ても主要採寸値を示しながら表示されることを特徴とする、請求項１２記載の、人物の形態的データをコンピュータ・ネットワーク上で取得し管理するための方法。
【請求項１４】
人物の各々に関連する前記個人データ（１２）および全般的な個人情報（１５）に、前記人物の各々に関連する一意の識別コード（１）が前記人物の各々のコマンドで割り当てられる（１６）ことを特徴とする、先行請求項１２または１３のいずれか１項記載の、人物の形態的データをコンピュータ・ネットワーク上で取得し管理するための方法。
【請求項１５】
該方法が付加的なステップを含み、該ステップの間、前記識別コード（１）が、或る群から選択された１組のデータへのアクセスコード（２）となり、該群が、前記人物を対象とした全般的な情報データ（１７）と、前記個人データ（１２）および前記関連の全般的な個人情報（１５）と、先行のステップにおいて製造者から選択された衣類の画像（２０）と、前記人物の各々の気に入りの製造者およびそれらの形態に適合された対応するサイズ（２１）と、第三者の識別コード（２２）とを含むことを特徴とする、請求項１４記載の、人物の形態的データをコンピュータ・ネットワーク上で取得し管理するための方法。
【請求項１６】
前記１組のデータ（１７）が、前記人物の各々用に、該人物の前記個人データ（１２）に対応するサイズを有する、確立されたネットワーク中の前記製造者のリスト（１８）を含むことを特徴とする、請求項１５記載の、人物の形態的データをコンピュータ・ネットワーク上で取得し管理するための方法。
【請求項１７】
前記１組のデータ（１７）が、前記人物の各々用に、彼らの前記個人データ（１２）に対応する前記標準的な仮想のマネキン人形に関する、前記製造者のカタログ内の衣類の表現（１９）を含むことを特徴とする、請求項１５記載の、人物の形態的データをコンピュータ・ネットワーク上で取得し管理するための方法。
【請求項１８】
前記１組のデータ（１７）が、少なくとも１つの通信ネットワーク（５８、６９）および少なくとも１つの好適な端末（６５、８３）により、遠隔操作によってアクセス可能であることを特徴とする、先行請求項１５〜１７のいずれか１項記載の、人物の形態的データをコンピュータ・ネットワーク上で取得し管理するための方法。
【請求項１９】
前記ネットワークが、ＴＣＰ／ＩＰ型のプロトコルによるデータ転送ネットワーク（５８）、特にインターネットであることを特徴とする、請求項１８記載の、人物の形態的データをコンピュータ・ネットワーク上で取得し管理するための方法。
【請求項２０】
前記ネットワークが、携帯電話ネットワーク、具体的には第３世代携帯電話ネットワークであることを特徴とする、請求項１８記載の、人物の形態的データをコンピュータ・ネットワーク上で取得し管理するための方法。
【請求項２１】
前記携帯電話ネットワークが、特にＩＭＰＳ標準に従って端末位置サービスを有し、前記位置により、前記端末（８３）を使用する該人物の嗜好とサイズとに適合する所望の衣類を提案する、或る数の販売店を決めることができることを特徴とする、請求項２０記載の、人物の形態的データをコンピュータ・ネットワーク上で取得し管理するための方法。
【請求項２２】
前記端末（８３）のリアルタイム位置が、無線測位ネットワーク（７０）、具体的には衛星ネットワークによって確定されることを特徴とする、請求項１８記載の、人物の形態的データをコンピュータ・ネットワーク上で取得し管理するための方法。
【請求項２３】
先行請求項１〜２２のいずれか１項記載の方法を実行するのに適した、人物の形態的データをコンピュータ・ネットワーク上で取得し管理するための装置であって、前記形態的データは、複数の製造者のうちの少なくとも１つによる、個々に設計寸法された衣類の製造および／または支給が意図されており、前記装置が、
‐第１通信ネットワーク（５８）と、
‐第１処理手段と、第１メモリ手段と、１組の標準データを保存する、人体の外形の第１データベース（５７）と、前記標準データから選択するための第１手段とを含む第１コンピュータシステム（５６）であって、第１通信手段によって前記第１ネットワーク（５８）に接続されている第１コンピュータシステム（５６）と、
‐前記人物の形態を表す現在のデータ（６、９）を取得するようになっているコンピュータ化された取得システム（２３、４５、６６）と
を含む装置であって、該装置がさらに、
‐第２通信手段によって前記第１ネットワーク（５８）に接続されているとともに、第２処理手段と、第２メモリ手段と、第２データベース（６０）とを含む第２コンピュータシステム（５９）であって、前記標準データが、前記製造者を表すデータと前記製造者の各々によるサイズ品揃えを表すデータとにリンクするとともに第２選択手段によって選択される第２コンピュータシステムと、
‐第３処理手段と第３メモリ手段とを含む第３コンピュータシステム（６６）であって、最も近い個人データ（１２）を選択する目的で、前記現在のデータ（６、９）を前記第２通信手段を介して前記第２選択手段に伝送する第３通信手段によって前記第１ネットワーク（５８）に接続されている第３コンピュータシステムと
を含むことを特徴とする装置。
【請求項２４】
リンクしている前記第２データベース（５９）のフィールドが、
ａ）位置を含む、所定のカテゴリパラメータと、
ｂ）性別、年齢層、身長、股下高、および体重を含む、全般的な標準パラメータ（４）と、
ｃ）前記標準データに対応する標準的な仮想の三次元マネキン人形を表現する標準的な三次元パラメータと、
ｄ）前記マネキン人形の所定のカテゴリの標準的な見え方に対応する標準的な二次元シルエットを表現する標準的な二次元パラメータ（７）と
を表すフィールドを含むことを特徴とする、請求項２３記載の、人物の形態的データをコンピュータ・ネットワーク上で取得し管理するための装置。
【請求項２５】
前記標準的な見え方のカテゴリが、正面図、側面図、および上面図を含むことを特徴とする、請求項２４記載の、人物の形態的データをコンピュータ・ネットワーク上で取得し管理するための装置。
【請求項２６】
前記取得システム（２３、４５、６６）が走査ブース（２３）から成り、該走査ブースが、
‐床部（２４）と天井部（２５）と側面パネルとにより画定された、実質的に角柱形または直立した円筒形である垂直なセルであって、前記セルは、該セルの内部で前記床部（２４）の所定の区域（３０）に、前記角柱の第１縁部（３１）または前記円筒の第１母線を向く前記人物の各々を垂直な位置で収容することが意図されているセルと、
‐角柱の前記第１縁部（３１）上または円筒の前記第１母線上に提供される、ディジタル写真（３３）を撮影するための第１装置であって、第１方向で前記人物の胴の方を向いている第１装置と、
‐前記角柱の第２縁部（３２）上または前記円筒の第２母線上に配置される、ディジタル写真（３４）を撮影するための第２装置であって、前記第１方向に対して垂直な第２方向で、前記人物の胴の側面の方を向いている第２装置と、
‐前記天井部（２５）の下に配置される、ディジタル写真（３５）を撮影するための第３装置であって、該人物が立っている床部の前記所定の区域（３０）の方を向いている第３装置と
を含むことを特徴とする、先行請求項２４〜２５のいずれか１項記載の、人物の形態的データをコンピュータ・ネットワーク上で取得し管理するための装置。
【請求項２７】
拡散スクリーン（３６）と共に提供される光源が、前記第１、第２、第３写真装置（３３、３４、３５）の各々の物体面の後方に設置されることを特徴とする、請求項２６記載の、人物の形態的データを取得し管理するための装置。
【請求項２８】
前記ブース（２３）が、体にぴったりした青色または緑色の衣類を供給するための手段（４１）も含むことを特徴とする、先行請求項２６〜２８のいずれか１項記載の、人物の形態的データを取得し管理するための装置。
【請求項２９】
該装置が、現在の二次元シルエットを抽出するとともに、前記シルエットを、前記第１、第２、第３写真装置（３３、３４、３５）から得られる信号を基に、前記第３コンピュータシステム（６６）の前記第３処理手段により実行される現在の二次元パラメータによって表現するためのモジュールを含むことを特徴とする、先行請求項２６〜２８のいずれか１項記載の、人物の形態的データをコンピュータ・ネットワーク上で取得し管理するための装置。
【請求項３０】
前記ブース（２３）が、
‐床部の前記所定の区域（３０）の下に設置された自動計量秤（４２）と、
‐前記天井部（２５）の下に配置されて前記所定の区域（３０）の方を向いているレーザ定規（４３）と、
‐股下高計測デバイスセンサ（４４）と
をも含むことを特徴とする、先行請求項２６〜２９のいずれか１項記載の、人物の形態的データを取得し管理するための装置。
【請求項３１】
前記ブース（２３）が、
‐キーボード（４５）と、
‐モニタ（４５）と
をも含むことを特徴とする、請求項３０記載の、人物の形態的データをコンピュータ・ネットワーク上で取得し管理するための装置。
【請求項３２】
該装置が、前記秤（４２）、前記レーザ定規（４３）、前記計測デバイス（４４）、および前記キーボード（４５）から得られる信号を基に、前記第３コンピュータシステム（６６）の前記第３処理手段により提供される、現在の全般的なパラメータを捕捉するためのモジュールをさらに含むことを特徴とする、請求項３１記載の、人物の形態的データをコンピュータ・ネットワーク上で取得し管理するための装置。
【請求項３３】
該装置が、
‐前記キーボード（４５）を用いて全般的な個人情報（１５）を入力するためのモジュールと、
‐前記全般的な個人情報（１５）を前記第２コンピュータシステム（５９）に伝送するためのモジュールと
をさらに含み、
前記入力するモジュールおよび前記伝送するモジュールが、前記第３コンピュータシステム（６６）上の前記第３処理手段により作動されることを特徴とする、先行請求項３１または３２のいずれか１項記載の、人物の形態的データをコンピュータ・ネットワーク上で取得し管理するための装置。
【請求項３４】
該装置が、
‐前記個人データ（１２）を前記第３コンピュータシステム（６６）に送信するためのモジュールであって、前記第２コンピュータシステム（５９）の前記第２処理手段により作動されるモジュールと、
‐前記個人データ（１２）を受信するためのモジュールと、
‐個人データ（１２）および全般的な個人情報（１５）をブースの前記モニタ（４５）上に提示するためのモジュールと、
‐前記個人データ（１２）および前記全般的な個人情報（１５）を検証するためのモジュールと
をさらに含み、
前記受信するモジュール、前記提示するモジュール、および前記検証するモジュールが、前記第３コンピュータシステム（６６）の前記第３処理手段により作動されることを特徴とする、請求項３３記載の、人物の形態的データをコンピュータ・ネットワーク上で取得し管理するための装置。
【請求項３５】
該装置が、
‐前記個人データ（１２）を前記全般的な個人情報（１５）に割り振るためのモジュールと、
‐一意の識別コード（１）を生成するためのモジュールと、
‐前記識別コード（１）を少なくとも前記第３コンピュータシステム（６６）に伝播するためのモジュールと
をさらに含み、
前記割り振るモジュール、前記生成するモジュール、および前記伝播するモジュールは、前記第３コンピュータシステム（６６）の前記第３処理手段により作動されることを特徴とする、請求項３４記載の、人物の形態的データをコンピュータ・ネットワーク上で取得し管理するための装置。
【請求項３６】
前記第２コンピュータシステム（５９）が、前記製造者から利用可能な衣類のカタログを仮想デザインのコレクションの形態で保存する第３データベース（６１）であって、前記製造者に関連する前記第２データベースと共に第１組のデータ（６２）となる第３データベースと、前記第１組のデータ（６２）から選択するための第３手段とをさらに含むことを特徴とする、請求項３５記載の、人物の形態的データをコンピュータ・ネットワーク上で取得し管理するための装置。
【請求項３７】
該装置が第４コンピュータシステム（７６）をさらに含み、該第４コンピュータシステムが、第４処理手段と、第４メモリ手段と、前記人物に関連する第２組のデータ（７５）を保存する第４データベースと、前記第２組のデータ（７５）から選択するための第４手段とを含み、前記第４コンピュータシステム（７６）が第４通信手段によって前記第１ネットワークに接続されており、前記第４データベースが、以下のファイル、すなわち、
‐前記人物により既に購入された衣類の記録（７９）と
‐前記識別コード（７７）と、
‐前記人物に対応する個人的な仮想の三次元マネキン人形（７８）と、
‐前記人物の気に入りの製造者、およびそれらに対応するサイズ（８１）と、
‐前記人物のリアルタイム位置（８２）と、
‐前記人物の財政上の詳細（８０）と
を含むことを特徴とする、請求項３６記載の、人物の形態的データをコンピュータ・ネットワーク上で取得し管理するための装置。
【請求項３８】
該装置が第５コンピュータシステム（６３）をさらに含み、該第５コンピュータシステムが、第５処理手段と、第５メモリ手段と、複数の小売商人に関連する第３組のデータ（７１）を保存する第５データベースと、前記第３データ組（７１）から選択するための第５手段とを含み、前記第５コンピュータシステム（６３）が第５通信手段によって前記第１ネットワーク（５８）に接続されており、前記第５データベースが、以下のファイル、すなわち、
‐前記小売商人からの販促用付け値（７４）と、
‐前記小売商人の衣料品揃え（７３）と、
‐前記小売商人の住所（７２）と
を含むことを特徴とする、請求項３７記載の、人物の形態的データをコンピュータ・ネットワーク上で取得し管理するための装置。
【請求項３９】
該装置が、前記第１通信ネットワーク（５８）と第２通信ネットワーク（６９）との間に第１ゲートウェイを形成する第６コンピュータシステム（６７）と、前記第２通信ネットワーク（６９）を用いて通信するようになっている少なくとも１つの端末（８３）とをさらに含むことを特徴とする、請求項３８記載の、人物の形態的データをコンピュータ・ネットワーク上で取得し管理するための装置。
【請求項４０】
前記第１ネットワークが、ＴＣＰ／ＩＰプロトコルによるデータ転送ネットワーク（５８）、特にインターネットであることを特徴とする、請求項３９記載の、人物の形態的データをコンピュータ・ネットワーク上で取得し管理するための装置。
【請求項４１】
前記第２ネットワークが、携帯電話ネットワーク（６９）、具体的には第３世代携帯電話ネットワークであることを特徴とする、請求項３９記載の、人物の形態的データをコンピュータ・ネットワーク上で取得し管理するための装置。
【請求項４２】
該装置が、前記第１または前記第２通信ネットワーク（５８、５９）と無線測位ネットワーク（７０）との間の第２ゲートウェイとなる第７コンピュータシステム（６８）をさらに含み、前記無線測位ネットワーク（７０）によって前記端末（８３）を識別することができることを特徴とする、先行請求項３９〜４１のいずれか１項記載の、人物の形態的データをコンピュータ・ネットワーク上で取得し管理するための装置。
【請求項４３】
前記無線測位ネットワーク（７０）が、衛星ネットワーク、特にＧＰＳネットワークであることを特徴とする、請求項４２記載の、人物の形態的データをコンピュータ・ネットワーク上で取得し管理するための装置。
【請求項４４】
前記無線測位ネットワークが、前記第２通信ネットワーク（６９）に統合されたサービス、特に、携帯電話ネットワーク（６９）に統合されたＩＭＰＳサービスであることを特徴とする、請求項４２記載の、人物の形態的データをコンピュータ・ネットワーク上で取得し管理するための装置。
【請求項４５】
複数個の前記端末（８３）が、前記第１通信ネットワーク（５８）への前記第１ゲートウェイ（６７）を介して前記第４データベース（７５）および前記第５データベース（７１）に接続されており、これにより前記人物は、前記小売商人の品揃えから自分が選択したデザインを着用している自らの個人的な仮想のマネキン人形を見ることができることを特徴とする、先行請求項３９〜４４のいずれか１項記載の、人物の形態的データをコンピュータ・ネットワーク上で取得し管理するための装置。
【請求項４６】
該装置が、前記第１通信ネットワーク（５８）を介して前記第４データベース（７５）および前記第５データベース（７１）に接続された少なくとも１つの第８コンピュータシステム（６５）をさらに含み、これにより前記人物は、前記小売商人の品揃えから自分が選択したデザインを着用している自らの個人的な仮想のマネキン人形を見ることができることを特徴とする、先行請求項３９〜４５のいずれか１項記載の、人物の形態的データをコンピュータ・ネットワーク上で取得し管理するための装置。
【請求項４７】
該装置が、前記第１通信ネットワーク（５８）を介して前記第３データベース（６１）および前記第５データベース（７１）に接続された少なくとも１つの第９コンピュータシステム（６４）をさらに含み、これにより前記小売商人は、その品揃えを前記製造者の前記コレクションから増強することができることを特徴とする、先行請求項３９〜４６のいずれか１項記載の、人物の形態的データをコンピュータ・ネットワーク上で取得し管理するための装置。
【請求項４８】
前記ネットワーク（５８、６９）に接続された複数のマイクロコンピュータ（６５）または携帯電話（８３）が、個々に設計寸法された衣類をオンラインで注文するために複数の人物により使用されることを特徴とする、先行請求項２３〜４７のいずれか１項記載の、人物の形態的データをコンピュータ・ネットワーク上で取得し管理するための装置の使用。
【請求項４９】
前記ネットワーク（５８、６９）に接続された少なくとも１つの携帯電話（８３）が、支払端末として使用されることを特徴とする、請求項４８記載の、人物の形態的データをコンピュータ・ネットワーク上で取得し管理するための装置の使用。
【請求項５０】
前記ネットワーク（５８、６９）に接続された複数のマイクロコンピュータ（６４）が、個々に設計寸法された衣類をオンラインで販売するために複数の小売商人により使用されることを特徴とする、先行請求項２３〜４７のいずれか１項記載の、人物の形態的データをコンピュータ・ネットワーク上で取得し管理するための装置の使用。
【発明の詳細な説明】
【技術分野】
【０００１】
本発明は、人物の形態的データをコンピュータ・ネットワーク上で取得し管理するための方法および装置、ならびにその使用に関する。
【背景技術】
【０００２】
衣類を購入する際に最も重要なのは、衣類が「適切に適合する」べきであることは言うまでもない。「適合性」というこの考えは、客観的でもあり主観的でもある。客観的な側面はサイズの概念に頼っている。主観的な面は、その人が有する、衣類を着用している時のその人自身のイメージに向けられている。
【０００３】
昔の仕立屋での採寸および鏡の前での試着の打ち合わせは、これらの２つの側面に相当する。これらの側面は、衣料産業により導入される現代版のシステムに見られ、その目的は、「オーダーメード」の品質を、既製服の衣類の入手と同じように簡単に、できる限り多数の人々に提供することである。
【０００４】
実際、既製服市場が直面しなければならない主な欠点のうちの１つとは、専門店あるいは大型店で販売される、適合しない衣料品の変更または返品の管理である。この現象は、通信販売の発展とともに、より最近ではインターネットを通じたオンライン購入の激増とともに確実に増えている。
【０００５】
Ａ．Ｒｏｓｅ名義で１９９９年７月２７日に付与された米国特許第５９３０７６９号は、上で概説した問題を完全に説明しており、それを改善する解決法を提案している。この文献に開示されている工程により、消費者自身により行われる採寸の結果および彼らの顔の写真から、マネキン人形の構造体を作り出すことができる。将来の参考として、サイズが自動的に測定される。衣類は実物あるいは仮想の定型化されたマネキン人形に展示され、こうして顧客は予め最終結果を目にすることができる。
【０００６】
この工程の主な欠点は、その人物が自分自身の採寸を行わねばならないという事実があることに思われる。二番目として、そのサイズシステムは極度に簡素化されており、複数の衣服銘柄がその独自の規準に合うようにサイズ品揃えを調整している種々のやり方を考慮していないように思われる。最後に、衣類を着用している人物の表現は極めて概略的で、少しも現実的でないように思われる。というのも、それが純粋に正面図であり、側面図および背面図の「適合性」を点検する任意の機会がないからである。
【０００７】
Ｋ．Ｙｏｄａ名義で１９９６年５月７日に付与された米国特許第５５１５２６８号に記載されている方法およびシステムは、光学センサを使用することにより、採寸値の手動入力の欠点を克服するのに役立つ。自動採寸値が、データベースにあるサイズに対応する形態的データに合致される。サイズの選択された衣類の画像は、人が「適合性」を判断できるよう、その人物の画像に重なっている。ベルト（その長さがシステムにより調節される）のようなデバイスがあれば、顧客は、衣類のサイズがその顧客にとって適切であることを物理的に点検することができる。
【０００８】
このデバイスは、自動ベルトという独創的なデバイスのおかげで、客観的観点からも主観的点からも選ぶことを可能にしようとしている。一方で、「適合性」を判断するのに考慮されるほかならぬ採寸値とは胴囲、腰囲、胸囲等の外囲の採寸値であるが、これらでは不十分である。
【０００９】
Ｅ．Ｌａｕｅ名義で２００１年５月３日に刊行された国際出願第０１／３０１８９号に記載されている工程は、自らが選択した衣類を着用しながら動く人物を示す動画を生成する手段を使用している。この動画は、顧客の身体表面の三次元採寸により得られる形態的データから作成され、このデータは、識別コードを備えた「クレジットカード」型キャリヤに保存されている。形態的データは、顔および髪型に関する詳細なデータを含む。識別コードから、ソフトウェアはその人物の採寸値と希望とに対応する衣類をカタログから選択し、衣類の着用をシミュレートしてその衣類を着用する顧客の画像を表示することができる。顧客は、結果に満足すればこれらの同一データから衣類を製造する工程を開始することができる。
【００１０】
この方法は、先行技術で知られているシミュレーション・プログラム（Ｒａｍｓｉｓ／Ａｎｔｒｏｐｏｓ）を利用するので魅力的のようである。ところが、技術的詳細が欠如しているということは、特定の重大な問題、例えば異なる銘柄によりサイズおよび「適合性」の解釈が異なるということに繋がる問題が、実際に解決されたのかどうか判断できないことを意味する。
【００１１】
上述した方法の原理は、それらの銘柄により製作される種々のデザインのうちから、将来の着用者の形態に最も良好に適合するものを見出すことに存する。最終結果の判断は顧客に残されているが、結果が理想的となる保証は何もない。
【００１２】
別の手法は、まず第一に、目標母集団を表現する（実物の）マネキン人形の模型を作ることに存する。全てのマネキン人形には完全な模型が存在するので、コレクションにおいて最良の結果をもたらすことになる模型が確実に存在するために少し修正することを前提として、必要となるのは、或る人物の身体の外形に最も近い標準的なマネキン人形を決めることだけである。
【００１３】
この手法は、特にＮｅｗ  Ｌａｄｙ社の名義で１９９８年４月２９日に刊行された欧州特許第０８３８１６７号において開示された工程により採用される手法である。ところが、既に説明した他の方法でのように、この手法は一部仮定上のものであり、理想化されたままである。この後者の方法も、衣類が異なる製造者により製作され、これらの製造者が相互でばらつきのある「適合性」を判断する規準を有し、さらにそのことがそれらの銘柄に適するイメージとなるという事実のもたらす特定の問題を正しく認識していない。
【００１４】
先行技術では、走査ブースを用いたその他の多数の方法およびデバイスも知られている。
【００１５】
Ｍ．Ｓｐｉｎａ等の名義で２００１年１０月１８日に刊行された米国特許出願第２００１／００３０７５４号は、ＣＡＤシステム（「コンピュータ支援設計」）の標準的な３Ｄ表現を生成する、人物の形態的データを取得するためのブースを記載している。この表現から出発して標準的な採寸が行われ、これがその後の使用のためファイルに保存される。
【００１６】
ところが、このシステムにより保存される採寸値は、衣類製造者らにより実際に使用されるサイズ基準を考慮していない。
【００１７】
したがって、製造者の標準的な品揃えのうちから、特定の人物の採寸値に最も適する衣類のサイズを見出すという技術的問題がやはり残る。
【００１８】
既製服デザインを着用する人物の表現を統合する目的で、その人物の採寸値を取得するための別のブースが、Ｆａｃｈｈｏｃｈｓｃｈｕｌｅ  ｆｕｅｒ  Ｔｅｃｈｎｉｋ  ｕｎｄ  Ｗｉｒｔｓｃｈａｆｔ社（Ｂｅｒｌｉｎ）により提出され１９９７年１１月１３日に刊行された独国特許出願第１９６２０１４４号に記載されている。
【００１９】
最も好適なサイズはデータベースのサイズ基準から選択されるが、重ねて言えば、製造者間でこれらの基準を使用することが考慮されていない。
【００２０】
「オーダーメード」衣類の製造の分野において、或る人物のための衣類の設計を、該人物の採寸値および衣類デザインの特色を考慮することにより可能にするＣＡＤシステムが知られている。これは、Ｗ．Ｂｅａｖｉｎ名義で１９９６年２月２７日に刊行された米国特許第５４９５５６８号に記載されたシステムである。このシステムでは、オーダーメード３Ｄ表現が、その人物のディジタル写真を使用することにより個人用に設定される。
【００２１】
基準の動き、具体的には肘部の曲げは、使用される布地の物理的パラメータを考慮しつつシミュレートすることができ、したがって、衣類が正しく適合していることを点検することが可能になる。
【００２２】
ところが、この後者のシステムは実際には、衣類が一意的でその人物の採寸値に正確に適合するようになっている「オーダーメード」衣類の製造のみに関連しており、本発明により想定されるような、「個々に設計寸法された」既製服の衣類の製造および／または支給には関連していない。
【００２３】
したがって、限定数の標準サイズ、さらには各製造者によって異なる標準サイズの技術的管理の問題に対する解決法は、現在まで存在していない。
【発明の開示】
【課題を解決するための手段】
【００２４】
したがって、本発明は、先行技術から公知の、人物の形態的データをコンピュータ・ネットワーク上で取得し管理する方法の欠点を克服しようとしており、これらのデータは、確立されたネットワークに提携している或る数の製造者のうちの少なくとも１つにより、既製服を基に個々に設計寸法された衣類を製造および／または支給することが意図されている。
【００２５】
具体的には、本発明は、
‐予備的ステップにおいて、第１コンピュータシステムに１組の標準データを保存する、人体の外形の第１データベースを確立するステップと、
‐後続のステップにおいて、これらの人物の形態を表す現在のデータを、コンピュータ化された取得システムによって取得するステップと、
‐これらの標準データから、これらの各人物の現在のデータに最も近い個人データを選択するステップと
からなる、既に公知の種類の方法に関する。
【００２６】
本発明による工程の本質的な特徴は、第２コンピュータシステムにおいて、各製造者によるサイズ品揃えにおいて標準データが体系化されている第２データベースから個人データが選択されることである。
【００２７】
人物の形態的データをコンピュータ・ネットワーク中で取得し管理するための本発明による方法において、第２データベース内の標準データの分類は、
ａ）位置を含む、所定のカテゴリのパラメータと、
ｂ）性別、年齢層、身長、股下高、および体重を含む全般的な標準パラメータと、
ｃ）標準データに対応する標準的な仮想のマネキン人形を三次元で表現する標準的な三次元パラメータと、
ｄ）マネキン人形の所定のカテゴリの標準的な見え方に対応する標準的な二次元シルエットを表現する標準的な二次元パラメータと
をさらに含む。
【００２８】
これらの標準的な見え方のカテゴリは、有利には、正面図、側面図、および上面図を含む。
【００２９】
本発明によれば、本方法において使用される現在のデータを取得するためのコンピュータ化されたシステムは走査ブースから成る。これらの現在のデータは、現在の二次元シルエットを表現する現在の二次元パラメータを含むとともに、走査ブースから得られる走査データから抽出されるのが好ましい。
【００３０】
また、本発明が注目に値するのは、人物の形態的データをコンピュータ・ネットワーク中で取得し管理する方法の後続のステップが、これらの人物に関連する、具体的には彼らの性別、年齢層、民族性、身長、股下高、および体重を含む現在の全般的なパラメータを取得するステップをさらに含むという点である。有利には、身長、股下高、および体重は自動的に計測され、これに対して性別、年齢層、および民族性は各人物自身によりエントリされる。
【００３１】
人物の形態的データをコンピュータ・ネットワーク中で取得し管理する本発明による方法の別の本質的な特徴は、目標標準データが標準データから予め選択され、その全般的な標準パラメータは、上記で規定した現在の全般的なパラメータに対応するということである。したがって、使用すべき個人データは目標標準データであり、その標準的な二次元パラメータは現在の二次元パラメータの最適近似であると見なされる。
【００３２】
好ましくは、この最適近似が、製造者により決められる標準的な二次元パラメータの各々に関する許容値の関数として評価される。
【００３３】
有利には、これらの個人データに対応する標準的な仮想のマネキン人形が、第３コンピュータシステムの画面上に、好ましくは、いかなる角度から見ても主要採寸点を示しながら表示される。
【００３４】
有利には、各人物に関連する個人データおよび全般的な個人情報に、一意である個々の識別コードが各人物のコマンドで割り当てられる。
【００３５】
有利には、人物の形態的データをコンピュータ・ネットワーク中で取得し管理する本発明による方法は付加的なステップを含み、このステップの間、この識別コードは、或る群から選択された１組のデータへのアクセスコードとなる。この群は、それらの人物を対象とした全般的な情報データ、全般的な個人データおよび情報、先行のステップにおいて、確立されたネットワークに属する製造者から選択された衣類の画像、各人物の気に入りの製造者およびそれらの形態に適合された対応するサイズ、ならびに第三者の識別コードを含む。
【００３６】
好ましくは、この組のデータは、各人物用に、その人物の個人データに対応するサイズを有する、確立されたネットワーク中の製造者のリストも含む。
【００３７】
また好ましくは、これらの人物がアクセスを有するデータの組は、これらの各人物用に、彼らの個人データに対応する標準的な仮想のマネキン人形に関する、製造者のカタログ内の衣類の表現を含む。
【００３８】
最も有利には、この組のデータは、少なくとも１つの通信ネットワークおよび少なくとも１つの好適な端末により、遠隔操作によってアクセス可能である。このネットワークは、ＴＣＰ／ＩＰ型のプロトコルによるデータ転送ネットワーク、特にインターネットであるのが好ましい（ＴＣＰ／ＩＰとは「転送制御プロトコル／インターネットプロトコル」の頭字語である）。
【００３９】
選択的にまたは同時に、この通信ネットワークは、携帯電話ネットワーク、具体的には第３世代携帯電話ネットワークである。特にＩＭＰＳ標準（「インスタント・メッセージング・プレゼンス・サービス」の頭字語）に従って、端末位置サービスを有する携帯電話ネットワークが活用され、その位置により、端末を使用するその人物の嗜好とサイズとに適合する所望の衣類を提案する、或る数の販売店を決めることができる。
【００４０】
或る状況において、有利には、この端末のリアルタイム位置は、無線測位ネットワーク、具体的には衛星ネットワークによって確定される。
【００４１】
人物の形態的データをコンピュータ・ネットワーク上で取得し管理するためのデバイスであって、既製服を基に個々に設計寸法された衣類を製造および／または提供するための、本発明による工程を実行するようになっているデバイスは、既知のやり方で並べると、
‐第１通信ネットワークと、
‐第１処理手段と、第１メモリ手段と、１組の標準データを保存する、人体の外形の第１データベースと、これらの標準データを選択するための第１手段とを含む第１コンピュータシステムであって、第１通信手段によって第１ネットワークに接続されている第１コンピュータシステムと、
‐問題となる人物の形態を表す現在のデータを取得するようになっているコンピュータ化された取得システムと
を含む。
【００４２】
このデバイスは、
‐第２通信手段によって第１ネットワークに接続されているとともに、第２処理手段と、第２メモリ手段と、第２データベースとを含む第２コンピュータシステム（この第２ベースでは、標準データが、製造者を表すデータとこれらの各製造者によるサイズ品揃えを表すデータとにリンクするとともに第２選択手段によって選択される。）と、
‐第３処理手段と第３メモリ手段とを含む第３コンピュータシステムであって、最も近い個人データを選択する目的で、現在のデータを第２通信手段を介して第２選択手段に伝送する第３通信手段によって第１ネットワークに接続されている第３コンピュータシステムと
をさらに含むという点で注目に値する。
【００４３】
より正確には、リンクしているこの第２データベースのフィールドは、
ａ）位置を含む、所定のカテゴリパラメータと、
ｂ）性別、年齢層、身長、股下高、および体重を含む、全般的な標準パラメータと、
ｃ）標準データに対応する標準的な仮想の三次元マネキン人形を表現する標準的な三次元パラメータと、
ｄ）仮想のマネキン人形の所定のカテゴリの標準的な見え方に対応する標準的な二次元シルエットを表現する標準的な二次元パラメータと
を表すフィールドを含む。
【００４４】
好ましくは、問題となる標準的な見え方のカテゴリは、正面図、側面図、および上面図を含む。
【００４５】
最も有利には、本発明による装置の取得システムは走査ブースから成り、該走査ブースは、
‐床部と天井部と側面パネルとにより画定された、実質的に角柱形または直立した円筒形である垂直なセル（このセルは、各人物が角柱の第１縁部または円筒の第１母線を向くように、セルの内部で床部の所定の区域にその人物を垂直な位置で収容することが意図されている）と、
‐角柱のこの第１縁部上または円筒のこの第１母線上に提供される、ディジタル写真を撮影するための第１装置であって、第１方向でその人物の胴の方を向いている第１装置と、
‐角柱の第２縁部上または円筒の第２母線上に配置される、ディジタル写真を撮影するための第２装置であって、第１方向に対して垂直な第２方向で、その人物の胴の側面の方を向いている第２装置と、
‐天井部の下に配置される、ディジタル写真を撮影するための第３装置であって、その人物が立っている床部の所定の区域の方を向いている第３装置と
を含む。
【００４６】
好ましくは、拡散スクリーンと共に提供される光源が、ブース内で各第１、第２、第３写真装置の物体面の後方に設置される。ブースは有利には、任意の写真撮影の前に、体にぴったりした青色または緑色の試着すべき衣類を供給するための手段も含む。
【００４７】
ブースのこれらの特徴が有利である理由は、本発明による装置が、現在の二次元シルエットを抽出するとともに、これらのシルエットを、第１、第２、第３写真装置から得られる信号を基に、第３コンピュータシステムの第３処理手段により実行される現在の二次元パラメータによって表現するためのモジュールを含むからである。
【００４８】
本発明による工程を実行する目的で、ブース配列は有利には、
‐人物が立つ所定の区域の下に設置された自動秤と、
‐天井部の下に配置されて所定の区域の方を向いているレーザ定規と、
‐股下高計測デバイスと
により完了する。
【００４９】
また、ブースは好ましくは、
‐キーボードと、
‐モニタと
を含む。
【００５０】
好ましくは、秤、レーザ定規、計測デバイス、およびキーボードから得られる信号を基に、第３コンピュータシステムの第３処理手段により、現在の全般的なパラメータを捕捉するためのモジュールが提供される。
【００５１】
同様に、有利には、第３コンピュータシステム上の第３処理手段によって、
‐キーボードを用いて全般的な個人情報を入力するためのモジュールと、
‐この全般的な個人情報を第２コンピュータシステムに伝送するためのモジュールと
が提供される。
【００５２】
また有利には、第２コンピュータシステムの第２処理手段により作動される、個人データを第３コンピュータシステムに送信するためのモジュールが、第３コンピュータシステムの第３処理手段により作動されるその他のモジュール、すなわち、
‐個人データを受信するためのモジュールと、
‐個人データおよび全般的な個人情報をブースのモニタ上に提示するためのモジュールと、
‐その人物の個人データおよびその人物に関連する全般的な情報をその人物により検証するためのモジュール
と共に提供される。
【００５３】
注目すべきことに、上述の一連のモジュールは、
‐個人データを全般的な個人情報に割り振るためのモジュールと、
‐一意の識別コードを生成するためのモジュールと、
‐この識別コードを少なくとも第３コンピュータシステムに伝播するためのモジュールと
により完了し、
該割り振るモジュール、該生成するモジュール、および該伝播するモジュールは、第３コンピュータシステムの第３処理手段により作動される。
【００５４】
この識別コードの利点が明らかとなるのは、人物の形態的データをコンピュータ・ネットワーク上で取得し管理するための本発明によるデバイスの第２コンピュータシステムが、製造者から利用可能な衣類のカタログを仮想デザインのコレクションの形態で保存する第３データベースであって、製造者に関連する第２データベースと共に第１組のデータとなる第３データベースと、これらの第１組のデータから選択するための第３手段とをさらに含む場合であろう。
【００５５】
同一の目的に関して有利には、本発明による装置は第４コンピュータシステムも含み、該第４コンピュータシステムは、第４処理手段と、第４メモリ手段と、その人物に関連する第２組のデータを保存する第４データベースと、第２組のデータから選択するための第４手段とを含む。この第４コンピュータシステムは、第４通信手段によって第１ネットワークに接続されている。好ましくは、第４データベースは、以下のファイル、すなわち、
‐その人物により既に購入された衣類の記録と、
‐その人物の識別コードと、
‐その人物に対応する個人的な仮想の三次元マネキン人形と、
‐この人物の気に入りの製造者、およびそれらに対応するサイズと、
‐その人物のリアルタイム位置と、
‐その人物の財政上の詳細と
を含む。
【００５６】
人物の形態的データをコンピュータ・ネットワーク上で取得し管理するための本発明による装置の、その人物の識別コードの利点を活用しようとする付加的な特徴とは、この装置が第５コンピュータシステムをさらに含み、該第５コンピュータシステムが、第５処理手段と、第５メモリ手段と、複数の小売商人に関連する第３組のデータを保存する第５データベースと、これらの第３データ組から選択するための第５手段とを含むことである。この第５コンピュータシステムは、第５通信手段によって第１ネットワークに接続されている。第５データベースは、小売商人の販促用付け値、衣料品揃え、および住所に関するファイルを含む。
【００５７】
データにアクセスする様々な方法を有するのが有利である。この目的で、本発明による装置は、第１通信ネットワークと第２通信ネットワークとの間に第１ゲートウェイを形成する第６コンピュータシステムと、第２通信ネットワークを用いて通信するようになっている少なくとも１つの端末とをさらに含む。
【００５８】
好ましくは、第１ネットワークは、ＴＣＰ／ＩＰプロトコルによるデータ転送ネットワーク、特にインターネットであり、第２ネットワークは、携帯電話ネットワーク、具体的には第３世代携帯電話ネットワークである。
【００５９】
最も有利には、本発明による装置は、第１または第２通信ネットワークと無線測位ネットワークとの間の第２ゲートウェイとなる第７コンピュータシステムをさらに含み、無線測位ネットワークによって端末を識別することができる。
【００６０】
問題となる無線測位ネットワークは、好ましくは、衛星ネットワーク、特にＧＰＳネットワーク（「全地球測位システム」という英語の頭字語）である。
【００６１】
選択的に、無線測位ネットワークは、第２通信ネットワークに統合されたサービス、特に、携帯電話ネットワークに統合されたＩＭＰＳサービスである。
【００６２】
有利には、複数個の端末が、第１通信ネットワークへの第１ゲートウェイを介して第４データベースおよび第５データベースに接続されており、これにより人は、自分が選択した小売商人のデザインを着用している自らの個人的な仮想のマネキン人形を見ることができる。
【００６３】
同様に、さらに好ましくは、本発明による装置は、第１通信ネットワークを介して第４データベースおよび第５データベースに接続された少なくとも１つの第８コンピュータシステムを含む。この第８システムにより、人は、自分が選択した小売商人のデザインを着用している自らの個人的な仮想のマネキン人形を見ることができる。
【００６４】
小売商人は、本発明による装置が、第１通信ネットワークを介して第３データベースおよび第５データベースに接続された少なくとも１つの第９コンピュータシステムも含むという事実を活用することになる。この第９システムにより、小売商人は、その衣類品揃えを製造者のコレクションから増強することができる。
【００６５】
ネットワークに接続された複数のマイクロコンピュータまたは携帯電話が、個々に設計寸法された衣類をオンラインで注文するために複数の人により使用されるとき、人物の形態的データをコンピュータ・ネットワーク上で取得し管理するための本発明による装置から、付加的な利点が起こる。
【００６６】
好ましくは、ネットワークに接続されている少なくとも１つの携帯電話が支払端末として使用される。
【００６７】
人物の形態的データをコンピュータ・ネットワーク上で取得し管理するための本発明による装置の別の有利な使用とは、ネットワークに接続された複数のマイクロコンピュータが、オーダーメードの衣類をオンラインで販売するために複数の小売商人により使用される場合である。
【００６８】
これらの本質的な特徴により、形態的データをコンピュータ・ネットワーク上で取得し管理するための本発明による方法および装置によって与えられる利点ならびにその使用が、先行の最先端と比較して当業者に明らかとなる。
【００６９】
本発明の詳細な特徴は、以下に続く説明において、添付の図面と合わせて詳述される。これらの図面の唯一の目的は説明の文章を例証することであり、これらの図面が本発明の範囲を限定するものでは決してないということに留意すべきである。
【発明を実施するための最良の形態】
【００７０】
衣料産業を対象とした、個人データをコンピュータ・ネットワーク上で取得し管理するための本発明による方法および装置は、複合組のステップ、操作、ソフトウェア商品、ならびに複数の設備の構成要素であり、以下のことを可能にする：
‐製造者が、その銘柄の要件（マネキン人形が仮想でありコンピュータ・シミュレートされるのか、あるいは、実物であり繊維ガラス製であるのか）に適合された標準的なマネキン人形、特にその銘柄のサイズ品揃えの範囲内で製造された一連のマネキン人形を有すること、
‐製造者が仮想のマネキン人形に衣類デザインを展示すること、
‐人体の外形を全般的なデータベースにおいて管理し、それらを衣類製造者のサイズ品揃えに応じて体系化すること、
‐人物を対象とした衣類を製造および／または販売する目的でその人物の外形を取得し、これらの外形を、全般的なデータベースで使用される規準と同じ規準に従って分類すること、
‐全般的なデータベースから、その人物の外形に最も近い身体の外形を選択すること、
‐これらの人物を表現する仮想のマネキン人形を構築すること、
‐これらの人物が、データネットワークに接続されている端末から彼ら自身のアクセスコード、彼らの身体の外形、およびその他の個人データを用いてアクセスし、彼らを表現するマネキン人形が着用している自らの選択した衣類を見ること、
‐これらの人物が、携帯電話を彼らの端末として使用すること、
‐これらの人物が、自らの選択した衣類を購入できる場所を決めること。
【００７１】
図１は、システムの様々な要素の相互連結を示しており、この結果として顧客１の識別コードが生成される。この識別コードは、図２に略示するように、１組のデータおよびサービスへのアクセスコード２としても機能する。
【００７２】
本発明による工程の予備的ステップにおいて、人体の外形の第１データベース３が既に設定されている。このデータベース３の設定および該データベースが含む標準データの体系化は、本願出願人により２００２年１１月２１日付け国際公開第０２／０９３４４９号で刊行された先行の国際特許出願に詳細に説明されている。
【００７３】
データベース３には、所定の目標母集団を表すものと見なされる、目標母集団または実物のマネキン人形のいずれかの身体の三次元走査から得られる形態的データが既にインポートされ処理されている。これらの形態的データは、所定の主要規準により、例えば、
‐提携規準：性別、年齢層、民族性、
‐体積測定規準：体重、ボディマス指数、サイズ（胸囲、胴囲、腰囲）、
‐設計寸法規準：身長、股下高、
‐角度規準：肩部の傾斜、姿勢、
により、既に体系化され保存されている。
【００７４】
従って、要約すると、ベース３は、標準的な仮想の三次元マネキン人形に関連する標準データから成る。
【００７５】
製造者は自らの目的のために、これらの標準データを、その銘柄の特徴であるサイズ品揃え４に応じて再度体系化する。また製造者は、その他のデータ、例えばその店舗の位置または、通常、その流通経路に関する情報を追加する。
【００７６】
身体の外形の全般的なデータベース３により、或る人物の特定の外形に最も近い標準的な外形を選択することが可能になり、このことは、上述の先願で説明しているように、光走査ブース、すなわち計測点の数が比較的少ないブースによって得られる。
【００７７】
製造者のサイズ品揃え４に応じた全般的なデータベース３の補助的な体系化により、所定の製造者の品揃えの範囲内で実際に存在する最も近い標準的な外形を選択することが可能になる。
【００７８】
問題となる人物により提供される幾つかの全般的なパラメータ６から出発して、目標標準データの事前選択５が実行される。有利には、所定のカテゴリを基にした事前選択が最終的にシステムによって実行されることになる。
【００７９】
所定のカテゴリのうち、位置は重要な情報の１つである。ちょうど、特定の製造者のサイズ品揃えに対応しない標準的な外形をデータベース３から選択することが無意味であるように、その人物の位置から遠く離れた場所でのみ利用可能となるような衣類のサイズに対応する標準的な外形を有することは実用的ではない。
【００８０】
好ましくは、全般的な選別パラメータ６とは、性別、年齢層、身長、および、サイズ、股下高、体重に対する商号の特徴的要素である。これらのパラメータの幾つかは、その人物によって手動で入力されるか、計測手段によって自動的に得られるか、またはデータベースから抽出される。このことを図２、図３、図５、図６と合わせて説明する。
【００８１】
一定の体積測定規準、例えばサイズ、設計寸法規準、および角度規準の関数として標準的な外形を選択するのを簡単にするために、全般的なデータベース３の形態的データが、仮想のマネキン人形を表現する標準的な三次元パラメータに関連する標準的な二次元パラメータ７に応じて分類される。
【００８２】
これらの標準的な二次元パラメータ７は、標準的な三次元パラメータ３から、マネキン人形の正面図、側面図、および上面図に対応する平面投影図によって抽出される。それらの図は、操作（符号８）中の対象者の正面画像、側面画像、および上面画像１０から抽出された、対応する現在の二次元パラメータ９に合致される（符号８）。その原理を図４ａ、図４ｂ、図４ｃと合わせて説明する。
【００８３】
人物の画像１０は、本発明による装置の特定のサブアセンブリによって得られる。このことを図３ａ、図３ｂと合わせて説明する。
【００８４】
目標データのうちから選択された特定の標準的な外形１１は（その標準的な二次元パラメータ７は現在の二次元パラメータ９の最適近似である）、対象者の個人データ１２となる。
【００８５】
このように、これらのデータ１２は、製造者のサイズ品揃え４と二次元規準７とに応じて体系化された人体の外形の副次的なデータベース１３において、全般的なパラメータ６に応じて選択されたエントリと二次元パラメータ９に応じて選択されたエントリとが結合されたことに由来する。
【００８６】
これらの個人データ１２は、コンピュータ画面上での承認のため、対応する仮想のマネキン人形の画像と共にその人物に提示される。
【００８７】
上述のような個人データ１２の収集の段階中、その他の情報が集められる（符号１４）。具体的には、その消費者に関連する全般的な個人情報１５、例えばその消費者の名前、職業、住所、固定および携帯の両方の電話番号、メールアドレス、銀行明細、および有効なクレジットカードである。
【００８８】
いったん対象者により承認された個人データ１２およびこの全般的な個人情報１５全体は、顧客の識別コード１を表す１つの数字によって参照される（符号１６）。
【００８９】
逆に、この識別コード１が、図２で概略的に示すように、その人物を対象とした個人データ１２と、全般的な個人情報１５と、全般的な情報データ１７と、システムによってその使用中に本質的に展開された情報とにアクセスできるアクセスコード２として、システムにより使用される。
【００９０】
全般的な情報データというのは、具体的には、ネットワークに属する、その人物の採寸値に対応するサイズの衣類を有する製造者のリスト１８である。これらのデータは、製造者のカタログからの衣類の着用をその人物がその仮想のマネキン人形を用いてシミュレートするのが可能になるデータ１９でもある。
【００９１】
このシステムは、
製造者から既に購入してある衣類の画像２０と、
その人物の嗜好に関する情報２１、特に、気に入りの製造者、および、該製造者により好ましいと証明されたサイズと、
第三者、友人、および家族の識別コード２２と
を保持し表示する。
【００９２】
識別コード１を展開するのに必要な採寸値およびデータ６、１０、１４は、図３ａ、図３ｂに示す写真ブース２３に類似したサブアセンブリによって取得される。
【００９３】
このブース２３により、前方、側方、および上方から見た顧客の胴の輪郭のディジタル写真を撮影することができる。このブースは、公衆にアクセス可能なショッピングエリアに設置される。ブース２３に入るには顧客は支払いを行わねばならず、このことはフランスで「Ｓａｎｉｓｅｔｔｅ」（Ｒ）として知られている公衆トイレを使用するのに必要なことに似ている。コンピュータ・ネットワークを通じてブースを制御し管理する中心機関は、補助が必要な場合には介入する責任がある。顧客らは、彼らの身体サイズまたは身長が変化したり、彼らの体重が増加あるいは減少したり、身長が伸びた（子供）場合に、彼らの個人的外形をこれらのブース２３を用いて更新する。
【００９４】
具体的な１実施形態において、ブース２３は角柱のセルの形状であり、その床部２４および天井部２５は、約２．５ｍ長の辺を有する実質直角二等辺三角形のような形状をしている。セル内は、第１区画２６で人物を収容するように設計されており、人物は、引き戸２７からこの区画に入り、そしてこの第１区画とは障壁２９によって分離された第２区画２８に入る。
【００９５】
第１区画２６は、その人物の採寸値および個人データを取るように装備されている。床部２４上で三角形の直角部分に相当する区域は、直径約７５ｃｍの円の中心に、最適な足の場所を示す印３０を含む。採寸中はこの印に従わなければならない。人はこの位置を維持して、第２隅部３２を自らの右側に残しつつブースの第１隅部３１を向かなければならない。
【００９６】
２つのディジタルカメラ３３、３４が、一方はブース２３の第１隅部３１に、他方は第２隅部３２に設置されており、人物の胴の正面図および側面図をそれぞれその視野に捕捉する。天井部２５には第３ディジタルカメラ３５が、足の印３０に合わせて垂直に取り付けられており、上方からその人物の画像を撮影する。その人物が立っている場所の近傍では区画２６のパネルに拡散スクリーン３６が設置されて光源により照明されており、この拡散スクリーンによって逆光写真を撮影して、コンピュータ化された取得システムが画像からのシルエットを簡単に抽出することができる。
【００９７】
同じ目的で、人物は、色が青色または緑色でストレッチ素材（例えばジャージ）製でありハイネックで大腿部中程まで延びる、体にぴったりした服装を着用するが、これが第２区画２８で試着される。この区画２８は、ブース２３内部の脇に置かれた半円筒の形状であり、正対する平面的なパネル３７は、ブース２３内で最も広いパネルに相当する。この区画は、人が快適に着替えられるような備品、具体的には座部３８、鏡３９、洋服ハンガー４０を含む。棚４１では、体にぴったりした異なるサイズの服装が提供される。
【００９８】
走査空間２６は、足の印３０の高さに設置された自動計量秤４２と、人物の身長を計測するためのレーザ定規４３と、股下高を検出するためのセンサ４４とをも含む。
【００９９】
選択的に、ブース２３は、体脂肪の割合を分析し、これによってその人物に関連する付加的なデータを取得するための生体電気インピーダンスセンサを有することもできる。
【０１００】
タッチ画面４５により、その人物は、上述したようなデータ、例えばその人物の性別、年齢、民族性、および全般的な個人情報、具体的にはその人物の名前、職業、住所を入力し表示させることができる
【０１０１】
既に説明したように、ブース２３の取得システムにより様々なセンサ３３、３４、３５、４２、４４、４５から既に生成された、人物の身体の外形に関連するデータは、ネットワーク上の製造者のデータベース１３からこの外形に最も良好に対応する標準的な仮想のマネキン人形３を選択する（符号１１）のに役立つ。
【０１０２】
この製造者のデータベース１３は、人体の外形の全般的なデータベース３に由来する副次的なデータベースであり、これは同一出願人による既に言及した特許出願、国際公開第０２／０９３４４９号の主題である。
【０１０３】
したがって、その考えとは、本質的には、三次元ビュー（「３Ｄビュー」として知られている）に対応するデータを、二次元ビュー（「２Ｄビュー」として知られている）から得られるデータに合致させるということである。これを行うために実行される工程は複雑な工程であり、この工程は、例として女性の対象者に採寸を行うことに関連する以下の説明から、図４ａ、図４ｂ、図４ｃと合わせると、より良く理解されることになろう。
【０１０４】
消費者の様々な外形は、衣類のコンピュータ支援設計技術において現在使用されているいわゆる「レッドライン」システムを通じてネットワーク上の衣類製造者の目標にされる。「レッドライン」は水平および垂直な切断平面に相応し、マネキン人形の身体から衣類を設計および構築することを可能にする。また、国際公開第０２／０９３４４９号の出願に教示されているように、「レッドライン」システムは、人物の外形を分類するための主要点の座標にリンクしている。図４ａ、図４ｂ、図４ｃに明確に示すように、「レッドライン」が３Ｄ模型で規定されている場合でも、「ブロック採寸ライン」として知られている一定の主要採寸の位置は、正面投影、逆投影、側面投影を基に規定される。
【０１０５】
シルエットの分析、すなわち、カメラ３３、３４、３５により撮影された２Ｄの正面図、側面図、および上面図から抽出される胴の輪郭４６、４７、４８の分析は、実際に、人物の外形の特徴付けにとって重要な情報をもたらす。この分析により、主要点をシルエット上で位置決めすることができ、このことから、採寸ラインを推定することができる。「適合性」を評価するのには特定の角度および形状が必須である。したがって、「レッドライン」は、付加的な規準を得るために接線、直径、および上面図を用いて形態およびポーズを規定して描き、身体の形状に関する具体的な情報（隆起した肩甲骨、腰部の曲率、胸部の曲率、頸部の角度、骨盤の角度）を提供する。
【０１０６】
写真撮影の角度は、データベースから抽出される三次元形態の平面投影図の方向と比較できる必要がある。この目的で、足を置くための地面上の印３０により、顧客は、写真が撮影される間、ブース内で可能な最良の位置を選ぶ。写真中で身体が非対称性となる生来の欠陥は、シルエット上の主要点の位置を用いて評価・分析され、その後、２Ｄ画像を修正する目的で、また、以下の主要採寸値を測定するために、これらの画像の分析の後続の段階により、図示する採寸ラインの位置が決められる。
ａ）腰は体幹の概ね最も細い部分である。正面図（図４ａ）において、左右の主要点Ａ、Ｂがそれぞれ容易に見つかる。これらの２つの点Ａ、Ｂの平均高さは腰の高さを規定し、側面図（図４ｂ）を参照すると、「前腰」の点Ｃおよび「後ろ腰」の点Ｄがそれぞれ規定されている。
ｂ）人体が、相互に重なる１組の薄片と見なされる場合、骨盤区域の最大表面積を有する薄片は腰囲に相当する。一般に、正面写真（図４ａ）は、大転子（大腿骨と股関節との骨の間の継ぎ目）の隆起Ｅ、Ｆに起因して腰囲の位置を決めるのに十分である。一方で、臀部の脂肪および筋肉の分布は、腰囲の位置を決める際に或る役目を果たす。従って、正面図（図４ａ）および側面図（図４ｂ）は、正確な位置Ｅ、Ｆ、Ｇを決めるのに使用される。
ｃ）股部基準点は、（「前中心」の線ＨＩおよび「後ろ中心」の線に沿った）体幹の最も低い点Ｈである。体にぴったりした青色または暗緑色の服装は股下高に印をつけるのに役立ち、股部計測ツール４４は、大腿部の内側に脂肪の堆積が豊富に形成された人物の大腿部が相互に接触するような股下高でも測定する。
ｄ）肘部４９は通常は腰ＡＢと同じ高さに位置しているということに留意される。
ｅ）側面図（図４ｂ）において、胸囲基準点Ｊは、体幹の頂部の最大部分に相当する。
ｆ）肩部５０、５１の屈曲点Ｉは、「垂下点」に相当する。
ｇ）正面図（図４ａ）において、袖ぐりＫ、Ｌを通過する身体との接線は、「肩部基準」点Ｍ、Ｎを規定する。
ｈ）２つの肩部５０、５１の形状に沿って通る直線回帰の交点は、「頸囲後ろ中心基準点」Ｏに相当する。
ｉ）側面図（図４ｂ）において、頸部の襟首によって形成される線との接線は、頸部角度ＩＯ（該接線に対して垂直な）を決める。
ｊ）再度、側面図において、「頸囲前中心点」Ｉと「前腰」Ｃとを結合する直線、および「頸囲後ろ中心点」Ｏと「後ろ腰」Ｄとを結合する線が、身体の形状および姿勢に関する情報を提供する。
ｋ）骨盤Ｇの高さとの接線、「後ろ腰」点Ｄ、「頸囲後ろ中心点」Ｏ、および「前腰」Ｃでの４つの直線は脊柱の角度を規定し、これらの直線は、設計者にとって本質的な情報（形状、ポーズ、隆起した肩甲骨、腰部の曲率、胸部の曲率、頸部の角度、骨盤の角度）をもたらす。
ｌ）前後の腋窩点Ｐ、Ｑはそれぞれ、「前横断採寸値」および「後ろ横断採寸値」を規定する。従って、「前横断採寸値」と「後ろ横断採寸値」との比は、上面図（図４ｃ）により付加的な情報が提供されるおかげで、姿勢（弛緩、通常、または直立）と同様、正面図および側面図を基に確立される。
【０１０７】
人物の外形のデータベース３内の模型では、「レッドライン」は、正面図、側面図、および上面図に対応する全ての平面投影図の主要点の位置を直接与える。
【０１０８】
ネットワーク内の衣類製造者により一般に許容される特定の公差を考慮しつつ、２Ｄビューから抽出される主要点と３Ｄ模型の主要点とを融合することによって、本発明による装置はこのように、人物の採寸値に最も良好に対応する仮想のマネキン人形を選択することができる。
【０１０９】
処理の結果は、ブース２３の画面４５上でその人物に表示される。その人物による承認（符号１６）後、既に説明したように、その結果は、一意の識別コード１により索引付けされた基準記録内に保護される。
【０１１０】
有利には、この記録の全てあるいは一部は、システム全体にわたって配布されるデータベース内で完全に保管されると同時に、「スマートカード」または「磁気カード」型の情報キャリヤ５２上に保存され、この情報キャリヤがシステムの管理者により編集されその人物に与えられる。このような担体を図５に示す。
【０１１１】
カード５２の正面には、そのメモリに含まれる幾つかの情報が印刷されている。具体的には、顧客の識別コード１、その顧客の採寸値５３、その顧客の仮想のマネキン人形の表現５４、その顧客の顔型に対応する「証明写真」型の写真５５である。
【０１１２】
顧客の採寸が行われるブース２３と、「採寸値」カード５２とが、或る程度、本発明による装置の最初と最後の構成要素となる。その構造的なアーキテクチャを図６に示す。
【０１１３】
第１コンピュータシステム５６は、人体の外形の全般的なデータベース５７を管理するのに使用される。これは、マルチメディア・リレーショナルデータベース、すなわち、一定のフィールドが、外部オブジェクト、特に仮想の３Ｄマネキン人形および平面投影図を表すファイルのポインタを含むデータベースである。システム５６の１構成要素として、インターネット５８に接続されているサーバがあり、これにより、遠く離れた顧客は検索エンジンを用いてデータを選択し、データをダウンロードすることができる。
【０１１４】
このようにデータがダウンロードされることにより、ネットワーク上の製造者は、インターネット５８に接続されている自らのコンピュータシステム５９上で、製造者名、その目標の顧客群、およびそのサイズ品揃えに従って配置された、人物の外形の副次的なデータベース６０を蓄積することができる。同じシステム５９を用いて、製造者は、自らの仮想の衣類６１のコレクションを管理する。
【０１１５】
製造者に関連するこれらのデータ６２は全て、小売商人のコンピュータ化されたシステム６３、６４、顧客のコンピュータ化されたシステム６５、ならびに本発明による装置の他の構成要素、特に走査ブース２３のコンピュータシステム６６、携帯電話ネットワーク６９および無線測位ネットワーク７０へのゲートウェイ６７、６８のための「サーバ」型ソフトウェアによって、インターネット５８を通じてアクセス可能になる。
【０１１６】
小売商人は、彼らの特定のインターネットサイト６３上で、対象のオンライン情報７１、例えば彼らの小売販売店の住所７２、これらの販売店で利用可能な衣類の、銘柄およびサイズに応じた品揃え７３、販促用付け値７４を購入者に提供する。
【０１１７】
小売商人のインターネットサイト６３は、或る数の小売商人を組み合わせた総合サイトである。具体的には、各小売商人はインターネット５８に接続されているマイクロコンピュータ６４を有し、これを用いて製造者５９のサイトにアクセスして、総合サイト６３で各小売商人のために用意されたスペース７３、７４において販売および提示したい衣類デザイン６０を選択することができる。
【０１１８】
顧客に関連する全てのデータ７５は、インターネット５８に接続された１つ以上のサーバ７６に保存される。これらのデータは或る数のファイルに分割され、これらのファイルは、システムのアプリケーション・ソフトウェアの様々な要素により修正されたり、あるいはそれらの要素がこれにアクセス可能となる。
【０１１９】
ファイル７７は、ブース２３での採寸値の取得段階により生成された人物の識別コードを含む。このファイル７７は、消費者が自らの採寸値にアクセスするのを可能にする索引として使用され、彼らのその他の全個人データは他のファイルに保存される。特に、ファイル７８は彼らの特定の仮想のマネキン人形を含み、ファイル７９は彼らの衣装だんすを含み、あるいはファイル８０は彼らの銀行明細を含む。
【０１２０】
別のファイル８１は、顧客の嗜好を含む。このファイル８１は、顧客により既に行われた購入の関数としてシステムにより作成される。無線測位サーバ６８と合わせて絶えず更新されるファイル８２は、特定の瞬間での消費者の位置を含む。
【０１２１】
この最後のファイル８２により、システムは、一方で小売商人から利用可能な住所７２および品揃え７３のファイルと合わせて、他方では仮想のマネキン人形のファイル７８および顧客の嗜好のファイル８１と合わせて、ＷＡＰ方式（「ワイヤレス・アクセス・プロトコル」の頭字語）の携帯電話端末８３でインターネット５８へのアクセスを有する、システムで登録された任意の人物に、例えばその人物が現在いる場所に近い店舗で利用可能な、その人物の趣味およびサイズに応じた１組の衣類デザインを提案することが可能になる。このように選択された衣類を着用しているその人物の仮想の模型がその人物の携帯電話の画面に表示される。有利には、この電話機は、小売商人の店舗で販売が成立した場合の確実な支払端末として使用される。
【０１２２】
したがって、人物の形態的データをコンピュータ・ネットワーク上で取得し管理するための本発明による方法および装置において、顧客は、その人物にとって全体的に分かり易いやり方で、既製服でありながらその人物の採寸値および外形に適合する衣類を購入するための解決法を見出す。
【０１２３】
また、製造者であろうと小売商人であろうと、衣類の供給連鎖に関わる者は、製造費用、流通費用または営業費用を低減する点、あるいは品質およびイメージの点のいずれにおいても、本発明による方法および装置から導かれる全ての利点を容易に認識するであろう。ファッションのサービスにおける高い技術は、要求の厳しい現代の得意先にとって明らかに魅力的な概念である。
【０１２４】
ブースにより、そこに常に出入りする母集団に関連する新規の形態的データを連続的に取得することができる。それ故に、このシステムの決して小さくはない有利な副産物として、ナショナル・メジャリング・キャンペーン（ｎａｔｉｏｎａｌ  ｍｅａｓｕｒｉｎｇ  ｃａｍｐａｉｇｎｓ）（小標本でのみ実行され、いずれにしても、このような運動と運動との間に数十年が経過するほど過度に希少である）により得られる画像よりもはるかに精緻化された統計的画像の発展がある。
【０１２５】
明らかとなることであるが、本発明は、上述の好適な実施形態に単に限定されるものではない。
【０１２６】
反対に、本発明は可能な全ての代替の実施形態を含む。具体的には、コンピュータ熟練者は、例示のために記載したコンピュータシステムを、同一機能を有する設備に容易に置き換えるであろう。図６に図式的に示す全体的なアーキテクチャは、必要に応じて発展され、より具体的にされるであろう。これらの置き換えおよび発展は、特許請求の範囲により規定されるような本発明の範囲から逸脱するものではないことは明らかである。
【図面の簡単な説明】
【０１２７】
【図１】本発明による工程の様々なステップの相互接続を示す概観的な図であり、この結果として顧客の識別コードが生成される。
【図２】顧客がその識別コードを用いてアクセスできる全てのデータを概略的に示す。
【図３】図３ａおよび３ｂは、それぞれ、本発明による工程を実行するのに適した走査ブースの上面図および正面図を示す。
【図４】図４ａ、４ｂおよび４ｃは、それぞれ、考慮される二次元パラメータを顧客の胴の正面図、側面図および上面図で示す。
【図５】本発明による工程を実行するのに適した情報担体を示す。
【図６】本発明による工程を実行するのに適した装置を編成する全ての要素の全体図である。
【図１】
2008504593.tif 000003
【図２】
2008504593.tif 000004
【図３】
2008504593.tif 000005
【図４】
2008504593.tif 000006
【図５】
2008504593.tif 000007
【図６】
2008504593.tif 000008
【国際調査報告】
2008504593.tif 000009
2008504593.tif 000010
2008504593.tif 000011
2008504593.tif 000012
2008504593.tif 000013
2008504593.tif 000014